(57)【要約】【課題】  水処理の現状情報などの入力情報に従って水処理の要素情報とコスト情報の検索により生成される水処理システム案とともに、該被処理システム案がもたらすコスト低減効果の算出およびその提示にある。【解決手段】  水処理の要素情報とコスト情報を入力情報に従って検索して水処理システム案を生成する水処理システムの提案支援装置（２）において、水処理システム案がもたらすコスト低減効果を算出するための情報、要素情報およびコスト情報を記憶する記憶部（１０）と、記憶部から要素情報およびコスト情報を検索して水処理システム案を生成するとともに、該水処理システム案がもたらすコスト低減効果を算出する処理部（情報処理部６）と、コスト低減効果を水処理システム案に関係付けて提示する情報提示部（８）とを備える。【選択図】        図１
2018139035.tif 000002
【特許請求の範囲】
【請求項１】
水処理の要素情報とコスト情報を入力情報に従って検索して水処理システム案を生成する提案支援装置において、
前記水処理システム案がもたらすコスト低減効果を算出するための情報、前記水処理の要素情報および前記コスト情報を記憶する記憶部と、
前記記憶部から前記要素情報および前記コスト情報を検索して水処理システム案を生成するとともに、該水処理システム案がもたらすコスト低減効果を算出する処理部と、
前記コスト低減効果を前記水処理システム案に関係付けて提示する情報提示部と、
を備えることを特徴とする水処理システムの提案支援装置。
【請求項２】
前記コスト低減効果は、節水効果、省エネ効果、廃棄物削減効果、これら効果の何れかに付随する経済的効果の何れかまたは２以上を含むことを特徴とする請求項１に記載の水処理システムの提案支援装置。
【請求項３】
前記水処理システム案がもたらすコスト低減効果を算出するための情報は、前記コスト低減効果を算出するための少なくとも計算式または数値変換用情報のいずれか一方または双方を含むことを特徴とする請求項１または２に記載の水処理システムの提案支援装置。
【請求項４】
水処理の要素情報とコスト情報を入力情報に従って検索して水処理システム案をコンピュータにより生成する水処理システムの提案支援プログラムにおいて、
前記水処理システム案がもたらすコスト低減効果を算出するための情報、前記要素情報および前記コスト情報を記憶部に記憶し、
前記記憶部から前記要素情報および前記コスト情報を検索して水処理システム案を生成するとともに、該水処理システム案がもたらすコスト低減効果を算出し、
前記コスト低減効果を前記水処理システム案に関係付けて提示する
機能を前記コンピュータに実行させるための水処理システムの提案支援プログラム。
【請求項５】
水処理の要素情報とコスト情報を入力情報に従って検索して水処理システム案を生成する提案支援方法において、
前記水処理システム案がもたらすコスト低減効果を算出するための情報、前記要素情報および前記コスト情報を記憶部に記憶する工程と、
前記記憶部から前記要素情報および前記コスト情報を検索して水処理システム案を生成するとともに、該水処理システム案がもたらすコスト低減効果を算出する工程と、
前記コスト低減効果を前記水処理システム案に関係付けて提示する工程と、
を含むことを特徴とする水処理システムの提案支援方法。
【請求項６】
水処理の要素情報とコスト情報を入力情報に従って検索して水処理システム案を生成する提案支援システムにおいて、
前記水処理システム案がもたらすコスト低減効果を算出するための情報、前記要素情報および前記コスト情報を記憶する記憶装置と、
前記記憶装置から前記要素情報および前記コスト情報を検索して水処理システム案を生成するとともに、該水処理システム案がもたらすコスト低減効果を算出する処理装置と、
前記処理装置に無線または有線により接続され、前記コスト低減効果を前記水処理システム案に関係付けて提示する情報提示装置と、
を備えることを特徴とする水処理システムの提案支援システム。
【発明の詳細な説明】
【技術分野】
【０００１】
本発明は、水処理に用いられるシステム編成や処理内容などの各種情報による水処理システム案の提案技術に関する。
【背景技術】
【０００２】
上水や下水などの被処理水を処理する水処理システムには複数種の水処理設備が用いられ、各水処理設備は仕様によって価格が異なるので、選択する水処理設備の組合せによって設備価格が変動する。このため、顧客のニーズは区々であり、そのニーズに応じた水処理システムの構築には設備仕様と設備価格から見積りが行われ、最適なシステムの提供が必要である。
【０００３】
この水処理設備の見積りに関し、複数種の水処理設備ユニットの仕様とその設備価格をデータベースに格納し、水処理仕様に応じてデータベースを検索して水処理仕様に見合う水処理設備の構築に必要なユニットを選定し、そのユニットにより構築される水処理設備の設備価格を見積もるシステムが知られている（たとえば、特許文献１）。
【先行技術文献】
【特許文献】
【０００４】
【特許文献１】特開２００３−１１４９８９公報
【発明の概要】
【発明が解決しようとする課題】
【０００５】
ところで、稼働中の水処理システムについて、その課題を分析し、該システムに代わる最適な処理や新規システムを迅速かつ容易にあるいは的確に提案することは極めて重要である。稼働中のシステムや、該システムを取り巻く環境は個別的かつ具体的であって、顧客毎に異なっている。現状の課題を分析し、その分析結果に基づく最適なシステムの構築は容易ではなく、そのシステム案を提示する営業スタッフが共有することは容易ではない。
【０００６】
現状のシステムにおける課題は個別的且つ具体的であるうえに、その内容は専門性が高く、顧客が持つ課題は複雑であり、的確に把握するには熟練を要する。この熟練には相当な訓練や経験が必要である。
このような課題を認識しても、その課題を解決できる水処理システム案を即座に提示できなければ、折角のシステム案の創出や提示が無駄になるし、その創出から提案に時間を要すれば、時宜に遅れをとることになる。的確に課題を把握し、その課題解決の処理システム案を創出ないし提案できなければ、客先および提案側双方に不利益を生じるという課題がある。
現状のシステムに代わる新規システム案を生成しても、その新規システム案の旧システムに対するコスト低減効果の多寡はシステム導入側およびシステム提供側に極めて重要な課題である。
【０００７】
そこで、本発明の目的は斯かる課題に鑑み、水処理の現状情報などの入力情報に従って水処理の要素情報とコスト情報の検索により生成される水処理システム案とともに、該被処理システム案がもたらすコスト低減効果の算出およびその提示にある。
【課題を解決するための手段】
【０００８】
上記目的を達成するため、本発明の水処理システムの提案支援装置の一側面によれば、水処理の要素情報とコスト情報を入力情報に従って検索して水処理システム案を生成する提案支援装置において、前記水処理システム案がもたらすコスト低減効果を算出するための情報、前記要素情報および前記コスト情報を記憶する記憶部と、前記記憶部から前記要素情報および前記コスト情報を検索して水処理システム案を生成するとともに、該水処理システム案がもたらすコスト低減効果を算出する処理部と、前記コスト低減効果を前記水処理システム案に関係付けて提示する情報提示部とを備える。
【０００９】
上記水処理システムの提案支援装置において、前記コスト低減効果は、節水効果、省エネ効果、廃棄物削減効果、これら効果の何れかに付随する経済的効果の何れかまたは２以上を含んでよい。
上記水処理システムの提案支援装置において、前記水処理システム案がもたらすコスト低減効果を算出するための情報は、前記コスト低減効果を算出するための少なくとも計算式または数値変換用情報のいずれか一方または双方を含んでよい。
【００１０】
上記目的を達成するため、本発明の水処理システムの提案支援プログラムの一側面によれば、水処理の要素情報とコスト情報を入力情報に従って検索して水処理システム案をコンピュータにより生成する提案支援プログラムにおいて、前記水処理システム案がもたらすコスト低減効果を算出するための情報、前記要素情報および前記コスト情報を記憶部に記憶し、前記記憶部から前記要素情報および前記コスト情報を検索して水処理システム案を生成するとともに、該水処理システム案がもたらすコスト低減効果を算出し、前記コスト低減効果を前記水処理システム案に関係付けて提示する機能を前記コンピュータに実行させる。
【００１１】
上記目的を達成するため、本発明の水処理システムの提案支援方法の一側面によれば、水処理の要素情報とコスト情報を入力情報に従って検索して水処理システム案を生成する提案支援方法において、前記水処理システム案がもたらすコスト低減効果を算出するための情報、前記要素情報および前記コスト情報を記憶部に記憶する工程と、前記記憶部から前記要素情報および前記コスト情報を検索して水処理システム案を生成するとともに、該水処理システム案がもたらすコスト低減効果を算出する工程と、前記コスト低減効果を前記水処理システム案に関係付けて提示する工程とを含む。
【００１２】
上記目的を達成するため、本発明の水処理システムの提案支援システムの一側面によれば、水処理の要素情報とコスト情報を入力情報に従って検索して水処理システム案を生成する提案支援システムにおいて、前記水処理システム案がもたらすコスト低減効果を算出するための情報、前記要素情報および前記コスト情報を記憶する記憶装置と、前記記憶装置から前記要素情報および前記コスト情報を検索して水処理システム案を生成するとともに、該水処理システム案がもたらすコスト低減効果を算出する処理装置と、前記処理装置に無線または有線により接続され、前記コスト低減効果を前記水処理システム案に関係付けて提示する情報提示装置とを備える。
【発明の効果】
【００１３】
本発明によれば、次のような効果が得られる。
(1) 現状システムの課題や課題解決のための情報などの入力情報に基づき、水処理の要素情報およびコスト情報を検索して水処理システム案を生成するとともに、該水処理システム案がもたらすコスト低減効果を算出でき、その効果を水処理システム案とともに提示できる。
(2) 入力情報に基づき、水処理の要素情報およびコスト情報を検索して生成される水処理システム案がもたらすコスト低減効果として、排水の水質改善、排水量などの低減による節水効果、排水の再利用化、排熱量の低減などによる省エネ効果、熱量ロスの低減、水質改善された排水のボイラー給水への利用や熱量の利用などの有用性情報を提示できる。
(3) 生成される複数の水処理システム案について、それぞれのコスト低減効果を算出して提示でき、そのコスト低減効果や性能を踏まえて水処理システム案を選択できる。
(4) 入力情報として顧客が持つ現状の課題や要望を的確に捉え、これを入力情報として顧客が求める要望事項に沿った水処理システム案を提示できるとともに、この水処理システム案に関係付けてコスト低減効果を提示できる。
(5) 営業担当者や開発担当者の熟練性に依存することなく、現状システムに代わる最適な水処理システム案の創出とともに、そのコスト低減効果を提示でき、コスト低減効果の算出に要していた従前のロス時間を削減でき、営業担当者や開発担当者の技量の補完だけでなく、システム案の生成およびコスト低減効果の提示により、システム提案コストを低減することができる。
【図面の簡単な説明】
【００１４】
【図１】一実施の形態に係る水処理システムの提案支援装置を示す図である。
【図２】水処理システムの提案支援の処理手順を示すフローチャートである。
【図３】水処理システムの提案支援装置の一実施例を示す図である。
【図４】一実施例に係る水処理システムの提案支援装置を示す図である。
【図５】データ構造の一例を示す図である。
【図６】水処理要素の一例を示す図である。
【図７】データベースの一例を示す図である。
【図８】提案支援の処理手順を示すフローチャートである。
【図９】図８に続く処理手順を示すフローチャートである。
【図１０】図９に続く処理手順を示すフローチャートである。
【図１１】画面遷移を示すフローチャートである。
【図１２】提案メニューの表示例を示す図である。
【図１３】提案書群を示す図である。
【図１４】回収装置群を示す図である。
【図１５】水量情報群を示す図である。
【図１６】単価群を示す図である。
【図１７】条件群を示す図である。
【図１８】熱回収単価計算シート群を示す図である。
【図１９】第１の関連情報を示す図である。
【図２０】第２の関連情報を示す図である。
【図２１】提案書を示す図である。
【図２２】回収装置を示す図である。
【図２３】提案メニューに対する入力手順を示す図である。
【図２４】水量入力を示す図である。
【図２５】水量情報に対する入力手順を示す図である。
【図２６】水量情報の入力手順を示す図である。
【図２７】入力チェックを示す図である。
【図２８】単価入力を示す図である。
【図２９】単価の入力手順を示す図である。
【図３０】熱回収単価計算シートに対する入力手順を示す図である。
【図３１】条件入力を示す図である。
【図３２】他の条件入力に対する入力手順を示す図である。
【図３３】他の実施の形態に係る水処理システムの提案支援システムを示す図である。
【発明を実施するための形態】
【００１５】
〔一実施の形態〕
図１のＡは、本発明の一実施の形態に係る水処理システムの提案支援装置を示している。図１に示す構成は一例であり、斯かる構成に本発明が限定されるものではない。
【００１６】
この水処理システムの提案支援装置（以下単に「提案支援装置」と称する）２は、水処理を必要とする事業者などの顧客に新規提案や改善提案などの提案情報を提示するシステムである。この提案支援装置２ではたとえば、コンピュータで構成し、機能部として情報入力部４、情報処理部６、情報提示部８および記憶部１０が備えられる。これら機能部はバス１２によって連係される。この例では、情報提示部８が提案支援装置２内に備えられているが、提案支援装置２外に情報提示部８を備えてもよく、その場合、情報提示部８と提案支援装置２とを有線または無線で接続して情報を提示する構成としてもよい。
【００１７】
情報入力部４には、情報処理部６に情報を入力する入力部の一例であり、情報処理部６の制御などにより、キーボード、タッチパネルなどの情報入力手段を用いて情報が入力される。この情報入力部４に対する入力情報はたとえば、現状の水処理システムなどの水処理を特定する要素情報などでよい。
【００１８】
情報処理部６は情報を処理する処理部の一例であって、たとえば、コンピュータで構成され、プロセッサ、記憶部などを備え、提案支援ツールの一例として提案支援プログラムを実行する。
この情報処理部６が実行する情報処理には、
ａ）要素情報およびコスト情報を入力情報に従って検索して水処理システム案の生成
ｂ）記憶部１０に水処理システム案がもたらすコスト低減効果を算出するための情報、要素情報およびコスト情報の記憶
ｃ）生成される水処理システム案がもたらすコスト低減効果の算出
ｄ）水処理システム案に関係付けてコスト低減効果の提示
ｅ）これら処理に関連する処理
などが含まれる。
【００１９】
この処理により提示される水処理システム案には、新規の提案情報、顧客先の既存情報に対する改善情報、付随情報、導入メリット、これらの関連情報などが含まれる。コスト低減効果には節水効果、省エネ効果、廃棄物の削減効果、これら効果の何れかに付随する経済的効果などの付随的効果が含まれる。コスト低減効果は水処理システム案に関係付けられ、情報処理部６から提示情報として出力される。
【００２０】
情報提示部８は、情報処理部６から既述の提示情報を受けるとともに情報処理部６による制御により、たとえば、ディスプレイにより画面表示などを行う。この情報提示部８には情報処理部６で生成された水処理システム案がたとえば、画像によって提示される。したがって、情報提示部８の情報の提示形態は、水処理システム案を表す画像情報、電子情報などのいずれであってもよい。水処理システム案は、システムの全体構成、その部分を表す要素、処理内容を表す処理手順、処理データのいずれでもよいし、これらのうちの２以上であってもよいし、これらの総てを含んでもよい。
【００２１】
記憶部１０には、画面表示の処理に用いられるプログラムの他、各種の情報としてたとえば、生成される水処理システム案がもたらすコスト低減効果を算出するための情報、水処理の要素情報、コスト情報などを表すデータを格納したデータベース（ＤＢ）１４が備えられる。
【００２２】
図１のＢは、情報提示部８の表示画面１６の出力情報を示している。この出力情報は既述の水処理システム案を表している。
【００２３】
この表示画面１６には、水処理システム案の表示例として、第１の表示部１８−１、第２の表示部１８−２、第３の表示部１８−３が含まれる。
【００２４】
表示部１８−１には水処理システムを表すシステム情報２０−１が表示される。このシステム情報２０−１には水処理システムの要素情報として少なくとも単一の要素２２または要素群２２Ｍが含まれる。要素群２２Ｍには、２以上の要素２２として、要素２２−１、２２−２・・・２２−Ｎが含まれる。
各要素２２−１、２２−２・・・２２−Ｎは処理槽、薬剤など、システム情報２０−１に表示される水処理システムの構成単位であり、処理水や被処理水を含んでよい。要素群２２Ｍはたとえば、２以上の要素を含む。画像で表示される水処理システムは、稼働中のシステム、シュミレーションシステム、設計中のシステムなど、いずれでもよい。
【００２５】
表示部１８−２には水処理システムによって得られる処理水や処理内容などの処理情報２０−２が表示される。処理水は、被処理水、中間処理水、最終処理水のいずれでもよい。
【００２６】
表示部１８−３には表示部１８−１または表示部１８−２に関連付けられて少なくとも処理コストまたは処理のメリットの何れかを含むメリット情報２０−３が表示される。メリット情報２０−３には水処理システム案がもたらすコスト低減効果が含まれる。このコスト低減効果には既述の節水効果、省エネ効果、廃棄物の削減効果、これら効果の何れかに付随する経済的効果などの付随的効果が含まれる。
【００２７】
＜節水効果＞
ａ．排水量などの低減：
水処理システム案が水質起因で、排水している水系の水質改善によって、排水量を減らし、結果的に補給する水量を低減でき、具体的には、冷却水ブロー水量の低減、ボイラーブロー水量の低減などを図ることができることを提示する。
ｂ．排水の再利用化：
水処理システム案が排水の水質を改善し、排水の再利用化を図ることができることを提示する。
【００２８】
＜省エネ効果＞
ｃ．熱量の削減：
水処理システム案が既述の水質起因で、排水している水系の水質改善によって、排水量を減らすことで排水によって系外へ排出される熱量を削減できること。この結果、ガス・重油・電気など、発熱用の燃料を低減でき、ボイラーブロー水量の低減を図ることができることを提示する。
ｄ．熱量ロスの低減：
水処理システム案が水系の汚れなどでロスしている熱量を水質改善によって解消することができること。具体的には、冷却水系の熱機器のスライム・スケール付着による伝熱ロスの解消や、ボイラー管内のスケール付着による伝熱ロスの解消を図ることができることを提示する。
ｅ．排熱の有効利用：
水処理システム案がたとえば、４０度以上の排水の水質改善を行えるので、水質改善された排水をボイラー給水に利用でき、給水温度の向上による蒸気発生用燃料の低減を図ることができる。温度上昇が必要な系に対し、高温排水の熱交換による燃料を低減できることを提示する。
【００２９】
＜廃棄物の削減効果＞
ｆ．水処理で発生する汚泥などの廃棄物の低減
水処理システム案が水処理で発生する汚泥などの廃棄物を薬品変更や薬品注入量の最適制御などで低減することができることを提示する。
【００３０】
＜付随的効果＞
ｇ．節水効果、省エネ効果または廃棄物の削減効果の何れかに付随する経済的効果などへの言及
水処理システム案がもたらす節水効果、省エネ効果または廃棄物の削減効果の何れかに付随する経済的効果などへ言及し、具体的には、当該水処理システム案が従前システムに対する経済性を提示する。
【００３１】
この提案支援装置２ではこのデータ構造に係る各要素を用いて水処理システム案を創出する。この水処理システム案は既述の各要素２２−１、２２−２・・・２２−Ｎを直列または並列に並べて水処理を実行するシステムである。
【００３２】
＜提案支援装置２の処理手順＞
図２は、提案支援装置２の処理手順の一例を示している。この処理手順は、本発明の水処理システムの提案支援プログラムの実行により得られる処理、コンピュータにより実行される機能、または水処理システムの提案支援工程の一例である。
記憶部１０には、水処理システム案の構築に必要な水処理の要素情報やコスト情報が格納されているとともに、生成される水処理システム案がもたらすコスト低減効果を算出するための情報が予め格納される。
【００３３】
この処理手順では提案支援装置２を起動し（Ｓ１０１）、入力情報により水処理システム案の生成かを判断する（Ｓ１０２）。水処理システム案の生成でなければ（Ｓ１０２のＮＯ）、この処理を終了する。水処理システム案の生成であれば（Ｓ１０２のＹＥＳ）、水処理システム案の生成に必要な入力情報かを判断する（Ｓ１０３）。水処理システム案の生成に必要な入力情報でなければ（Ｓ１０３のＮＯ）、必要な入力情報が到来するまで待機状態となる。
【００３４】
水処理システム案の生成に必要な入力情報であれば（Ｓ１０３のＹＥＳ）、情報処理部６が記憶部１０にある水処理の要素情報とコスト情報を入力情報に従って検索し、その検索結果から水処理システム案を生成する（Ｓ１０４）。生成された水処理システム案を契機に、水処理システム案がもたらすコスト低減効果を算出する（Ｓ１０５）。情報処理部６が情報提示部８に水処理システム案に関係付けてコスト低減効果を提供し、情報提示部８に水処理システム案に関係付けてコスト低減効果を提示させる（Ｓ１０６）。これにより、ひとつの水処理システム案およびコスト低減効果の提示が完了する。
【００３５】
この水処理システム案の提示を契機に、他の入力情報の有無を判断する（Ｓ１０７）。他の入力情報がなければ（Ｓ１０７のＮＯ）、現状状態を維持し、他の入力情報があれば（Ｓ１０７のＹＥＳ）、Ｓ１０４に戻り、Ｓ１０４以下のステップを実行する。そして、他の入力情報がなければ（Ｓ１０７のＮＯ）、この処理を終了する。
【００３６】
＜一実施の形態の効果＞
この提案支援装置２によれば、次の効果が得られる。
(1) 水処理の現状情報などの入力情報に従って水処理の要素情報とコスト情報の検索により生成される水処理システム案がもたらすコスト低減効果を算出し、生成された水処理システム案とともにコスト低減効果の提示を行うことができる。
(2) コスト低減効果として、節水効果、省エネ効果、廃棄物の削減効果、水処理で発生する汚泥などの廃棄物を、薬品変更や薬品注入量の最適制御などで低減することができるなどの効果を提示し、その効果を参照して水処理システム案を評価することができる。
【００３７】
(3) 水処理システム案としてたとえば、顧客の各製造ユニットの存在を前提とし、該製造ユニットを特定するデータの入力処理から現状処理の問題点を抽出し、その内容から現状システムに代わる水処理システム案を創出し、提示することができる。
(4) 入力処理では、給水または排水の特性データなどから対象ユニットを特定し、全体の使用水量と各工程の種別により、各工程の排水量の概算、コンピュータによる演算処理を用いて、各工程の排水量の算出、算出結果による改善事項の抽出（現状の課題の抽出）を行い、これらの実績に基づくデータベース化を行い、記憶部１０にＤＢ１４として格納することができる。
【００３８】
(5) ＤＢ１４では処理データ、該処理データに基づく処理システム、該処理システムを用いた処理結果、その最適化情報などの各種データを入力データにより抽出可能に格納し、入力データに基づく最適な水処理システム案を構築できる。
(6) 水処理システムの各工程のたとえば、排水に対し、実績データ（データベース）から最適な処理を表す処理フローの選択（現状からの改善処理）を行い、各工程のたとえば、排水に対して、既述のデータベースを用いて最適な処理フローの選択、変更ないし構築に活用できる。
【００３９】
(7) ＰＣ、スマートフォン、タブレット端末などの情報処理端末を用いることにより、客先の水処理システムが持つ現状処理の問題や、現状処理に代わる新規の処理内容をビジュアル的に迅速かつ的確に提示でき、客先に最適な処理システムの構築を支援することができる。
(8) 入力した現在情報から処理システムの問題点などを抽出でき、斯かる問題点などを払拭したクライアントの処理内容に適合する新システムを即座に構築できる。
【００４０】
(9) データベースに過去の経験、履歴、実績などを参照し、最適且つ合理的な新システムを構築し、提案できる。
(10)  過去の経験、履歴、実績などをデータベース化して共有できるので、営業担当者の経験値による偏りを防止し、最新の情報を以て新システムを構築できる。営業担当者による個性化を廃することができ、提案する新システムの合理化と信頼性を高めることができる。
【００４１】
(11)  水処理システム案の提示ではプレゼン資料として出力できるとともに、処理に適さない情報が入力された場合には、アラート報知などによって告知でき、構築システムの信頼性を高めることができる。
(12)  この提案支援装置２を水処理システムの説明や販売の支援ツールとして活用することができ、提案者と顧客との情報の共有を迅速化でき、顧客に対して現状システムに代わる最適な水処理システムを実現でき、その迅速化を図ることができる。
【実施例】
【００４２】
＜提案支援装置２の利用形態＞
図３は、一実施例に係る水処理システムの提案支援装置２の利用形態を示している。提案者２４側にはＰＣ２６が備えられ、このＰＣ２６を提案支援装置２として機能させる。このＰＣ２６にはディスプレイ２８−１が備えられ、外部のディスプレイ装置２８−２と連係され、ディスプレイ２８−１およびディスプレイ装置２８−２の同期表示が可能である。
【００４３】
ＰＣ２６を起動させ、ディスプレイ２８−１およびディスプレイ装置２８−２に提案情報を表示させる。提案者２４は、ディスプレイ２８−１の表示を確認しながらＰＣ２６を操作し、ディスプレイ装置２８−２に出力情報として水処理システム案を提示し、この水処理システム案を顧客３０に視認させている。
ＰＣ２６に顧客３０側のたとえば、ＰＣ２６−１、２６−２を連係させ、水処理システム案などの提示情報をＰＣ２６−１、２６−２側のディスプレイに表示させてもよい。
【００４４】
＜提案支援装置２の一例であるＰＣ２６＞
図４は、提案支援装置２として機能させるＰＣ２６の一例を示している。このＰＣ２６にはプロセッサ３２、記憶部３４、入出力部（Ｉ／Ｏ）３６、タッチパネル３８、通信部４０およびディスプレイ２８−１が備えられ、これらをバス４１で連係させている。この例ではＰＣ２６に外部のディスプレイ装置２８−２が連係されて提案支援装置２を構成している。ディスプレイ装置２８−２は外部のコンピュータ装置でよく、提案支援装置２に外部のコンピュータや表示装置を含んでよい。
【００４５】
プロセッサ３２は、記憶部３４にあるＯＳ（Operating System）を起動し、水処理システム案の提案支援ツールなどの各種プログラムを実行して出力情報を生成する。この出力情報の生成には、水処理システム案の創出、該水処理システム案や水処理システムにより入力された給水水量・水質が記憶部３４に格納されている個々の処理システムでどのような水質、水量に処理されるかを表す情報、そのコスト情報の演算が含まれる。
【００４６】
記憶部３４は、ハードディスク装置や、半導体記憶装置などの記録媒体を備え、ＯＳ、プログラム、情報源としてＤＢ１４を格納している。この記憶部３４には、ＲＯＭ（Read-Only Memory）、ＥＥＰＲＯＭ（Electrically Erasable Programmable Read-Only Memory ）、ＲＡＭ（Random-Access Memory）などが含まれる。ＲＡＭは、情報処理のタスクエリアを提供する。
【００４７】
Ｉ／Ｏ３６は、データの入出力に用いられる。タッチパネル３８は操作入力部の一例であり、情報入力に用いられ、キーボードやマウスなどの入力機器を備えてよい。このタッチパネル３８はたとえば、ディスプレイ２８−１の前面に配置され、ディスプレイ２８−１の表示情報に対してタッチにより情報を入力できる。
通信部４０は専用回線、公衆回線により他のコンピュータに通信接続される。この通信接続は、有線または無線の何れでもよい。
【００４８】
＜データ構造およびＤＢ１４＞
【００４９】
図５は、提案支援装置２に用いられる記憶部３４のＤＢ１４のデータ構造の一例を示している。このデータ構造には入力情報または入力画面として提案メニュー４２、提案メニュー４２にリンクする各種の入力、出力情報または出力画面として提案書４３−１、４３−２・・・４３−１０および複数の回収装置４５−１・・・４５−１０が含まれる。提案書４３−１、４３−２・・・４３−１０は、本発明の一例であり、一実施の形態（図１のＢ）における表示部１８−１、１８−２、１８−３の一例である。
【００５０】
提案メニュー４２は、導入画面のトップページに展開されるメニュー情報たとえば、表示画面である。この提案メニュー４２には、複数のアイディア情報４４−１、４４−２・・・４４−１０、第１の関連情報（豆知識）４６−１、第２の関連情報（節水とは？）４６−２、実績マップ４８が含まれる。
【００５１】
アイディア４４−１には水量入力４４−１１、単価入力４４−１２、条件入力４４−１３、提案書４３−１、回収装置４５−１が含まれる。単価入力４４−１２は、水処理システム案がもたらすコスト低減効果を算出するための情報であり、この単価入力４４−１２にはたとえば、熱回収単価計算シート４４−１２１、薬品ｐＨ調整値４４−１２２が含まれる。
アイディア４４−２にはアイディア４４−１と同様に、水量入力４４−２１、単価入力４４−２２、条件入力４４−２３、提案書４３−２が含まれる。単価入力４４−２２には、熱回収単価計算シート４４−２２１、薬品ｐＨ調整値４４−２２２が含まれる。その他のアイディア４４−３・・・４４−１０も同様なデータ構造である。
【００５２】
図６は、水処理システム案の生成、その表示情報の演算に用いられる水処理の要素情報を表すデータ構造を示している。水処理システムの一例である水処理要素５０には、タンク５２、ポンプ５４、複数の改質装置５６−１、５６−２・・・５６−Ｎ、制御装置５８が含まれる。改質装置５６−１には膜分離装置５６−１１、逆浸透膜装置５６−１２、ＵＶ処理殺菌器５６−１３などが含まれ、改質装置５６−２・・・５６−Ｎも同様である。
【００５３】
図７は、ＤＢ１４の格納情報の一例を示している。ＤＢ１４には改質装置毎のランニングコスト６０−１、薬品添加によるランニングコスト６０−２、水処理能力６０−３などが含まれる。改質装置毎のランニングコスト６０−１には改質装置６０−１１、コスト６０−１２が含まれる。改質装置６０−１１には改質装置のサイズ（型式）、数量、消費電力など、コスト６０−１２は点検、洗浄、部品交換などのメンテナンス種別毎のコストであり、頻度６０−１２１、単価６０−１２２が含まれる。頻度６０−１２１は年単位の回数、処理水量単位の回数を表す情報である。単価６０−１２２は、１回当たりのコストである。
【００５４】
薬品添加によるランニングコスト６０−２には原水水質に含まれる処理対象物質濃度と必要薬品添加量の関係式６０−２１、原水水質に含まれる水質に応じたｐＨ調整剤添加量計算式６０−２２、回収先の水質条件に応じた水質調整剤添加量（塩素濃度など）計算式６０−２３などが含まれる。
水処理能力６０−３には水処理要素の給水水質項目毎の除去能力を演算する計算プログラム６０−３１の他、各種水処理能力に関する情報が含まれる。計算プログラムではたとえば、ＲＯ（逆浸透膜）の場合、計算式として、ＲＯ処理水質＝（供給水質×１−除去率）／回収率が格納される。この式において、回収率は、回収率＝ＲＯ処理水量／ＲＯ給水流量である。除去率は水質項目毎に設定される定数である。
【００５５】
＜表示情報の生成ないし表示の処理手順＞
図８、図９および図１０は、水処理システムの表示情報の生成から各種表示に至る処理手順を示している。図８および図９の連結子ａ、図９および図１０の連結子ｂは、処理手順の連結を示している。
【００５６】
ＰＣ２６を起動し、ディスプレイ２８−１の画面を立ち上げ、水処理システム表示プログラムの起動により提案メニュー４２を表示させる（Ｓ２０１）。
提案メニュー４２の全画面表示において、提案先である顧客名を入力する（Ｓ２０２）。
【００５７】
第１ステップではアイディアの選択が指示され、アイディアを選択したかが判断される（Ｓ２０３）。複数のアイディア４４−１・・・４４−１０からひとつのアイディアを選択すれば（Ｓ２０３のＹＥＳ）、選択されたたとえば、アイディア４４−１の水量入力４４−１１に移行する（Ｓ２０４）。アイディアの何れも選択しなければ（Ｓ２０３のＮＯ）、提案メニュー４２が維持される。
【００５８】
水量入力４４−１１において、リストを選択したかが判断される（Ｓ２０５）。リストを選択すれば（Ｓ２０５のＹＥＳ）、水量入力の単位の入力（Ｓ２０６）、水量の入力（Ｓ２０７）、入力チェックウインドウの表示（Ｓ２０８）、入力チェック欄の表示（Ｓ２０９）が実行される。リストを選択しなければ（Ｓ２０５のＮＯ）、水量入力４４−１１が維持される。
【００５９】
次画面遷移ボタンまたは単価入力ボタンが選択されたかが判断される（Ｓ２１０）。次画面遷移ボタンまたは単価入力ボタンが選択されなければ（Ｓ２１０のＮＯ）、水量入力が維持される。
【００６０】
次画面遷移ボタンまたは単価入力ボタンが選択されると、単価入力４４−１２が表示され（Ｓ２１１）、該当する項目の選択かが判断される（Ｓ２１２）。該当する項目が選択されなければ（Ｓ２１２のＮＯ）、単価入力４４−１２の表示が維持される。該当する項目が選択されれば（Ｓ２１２のＹＥＳ）、選択された項目に単価の入力かが判断される（Ｓ２１３）。
【００６１】
選択された項目に単価の入力であれば（Ｓ２１３のＹＥＳ）、単価を入力し（Ｓ２１４）、単価を入力しなければ（Ｓ２１３のＮＯ）、単価のデフォルト値（Ｓ２１５）を設定し、熱回収単価の入力判断（Ｓ２１６）に移行する。
【００６２】
熱回収単価の入力であれば（Ｓ２１６のＹＥＳ）、単価計算が判断される（Ｓ２１７）。熱回収単価を入力しなければ（Ｓ２１５のＮＯ）、熱回収単価のデフォルト値が選択され（Ｓ２１８）、単価計算の判断（Ｓ２１７）に移行する。
単価の計算であれば（Ｓ２１７のＹＥＳ）、熱回収メリットと単価の計算が行われる（Ｓ２１９）。単価の計算でなければ（Ｓ２１７のＮＯ）、Ｓ２１６に戻る。
【００６３】
熱回収メリットと単価の計算の後、熱回収メリットが表示されたかの判断を行い（Ｓ２２０）、熱回収メリットが表示されれば（Ｓ２２０のＹＥＳ）、画面遷移ボタンが選択されたかの判断を行う（Ｓ２２１）。画面遷移ボタンが選択されれば（Ｓ２２１のＹＥＳ）、単価入力４４−１２の表示を行う（Ｓ２２２）。
【００６４】
この単価入力において、画面遷移のリンクボタンまたは条件の入力タブが選択されたかが判断される（Ｓ２２３）。リンクボタンまたは条件の入力タブが選択されなければ（Ｓ２２３のＮＯ）、単価入力４４−１２が維持される。リンクボタンまたは入力タブが選択されれば（Ｓ２２３のＹＥＳ）、条件入力４４−１３が表示される（Ｓ２２４）。
【００６５】
条件入力から水質の入力かが判断され（Ｓ２２５）、水質の入力でなければ（Ｓ２２５のＮＯ）、条件入力４４−１３が維持される。水質の入力であれば（Ｓ２２５のＹＥＳ）、水質の入力を行い（Ｓ２２６）、この入力が提案書４３−１に水質情報として反映される（Ｓ２２７）。
【００６６】
回収装置４５−１の規模情報の入力かが判断され（Ｓ２２８）、回収装置の規模情報を入力（Ｓ２２９）または回収装置規模のデフォルト値の設定（Ｓ２３０）によりメリット計算、設計水量（瞬時水量）の算出が行われる（Ｓ２３１）。
【００６７】
条件入力４４−１３において、画面遷移ボタンまたは提案書画面遷移ボタンが選択されたかが判断される（Ｓ２３２）。画面遷移ボタンまたは提案書画面遷移ボタンが選択されなければ（Ｓ２３２のＮＯ）、条件入力が維持され、画面遷移ボタンまたは提案書画面遷移ボタンが選択されれば（Ｓ２３２のＹＥＳ）、提案書４３−１の画面の表示に遷移する（Ｓ２３３）。
【００６８】
提案書４３−１の画面で他画面が選択されたかが判断される（Ｓ２３４）。他画面が選択されなければ（Ｓ２３４のＮＯ）、提案書画面が維持され、他画面が選択されれば（Ｓ２３４のＹＥＳ）、他画面の表示に遷移し（Ｓ２３５）、この処理を終了する。
【００６９】
この処理手順では、提案メニュー４２からアイディアのうち、Ｘ１（アイディア４４−１）の処理について述べているが、他のアイディアに係るＸ２・・・Ｘ１０など、他の処理についても同様であるので、その説明を割愛する。
【００７０】
図１１は、画面遷移の処理を示している。水量入力の表示（Ｓ３０１）において、提案メニュー４２が選択されたかが判断され（Ｓ３０２）、提案メニュー４２の選択がなければ（Ｓ３０２のＮＯ）、水量入力が維持される。
【００７１】
水量について、提案メニュー４２が選択されれば（Ｓ３０２のＹＥＳ）、提案メニューの表示に遷移する（Ｓ３０３）。
この提案メニュー４２の表示（Ｓ３０３）において、提案書画面が選択されたかが判断され（Ｓ３０４）、提案書画面の選択がなければ（Ｓ３０３のＮＯ）、提案メニュー４２が維持される。
【００７２】
提案メニューにおいて、提案書画面が選択されれば（Ｓ３０４のＹＥＳ）、提案書画面の表示に遷移する（Ｓ３０５）。
この提案書画面の表示（Ｓ３０５）において、他画面が選択されたかが判断され（Ｓ３０６）、他画面の選択がなければ（Ｓ３０６のＮＯ）、提案書画面が維持される。
この提案書画面において、他画面が選択されれば（Ｓ３０６のＹＥＳ）、選択された画面の表示に遷移する（Ｓ３０７）。
【００７３】
＜提案メニュー４２＞
【００７４】
図１２は、提案メニュー４２の一例を示している。この提案メニュー４２は提示情報の画像による表示例である。この提案メニュー４２には、一画面中の表示情報としてタイトル部６４、テーブル７０および実績マップ７２が含まれる。
【００７５】
タイトル部６４には、顧客名６４−１、タイトル６４−２、ガイド６４−３、リンクボタン６４−４、６４−５、６４−５が含まれる。顧客名６４−１には提案書４３−１、４３−２・・・４３−１０の全部または何れかの提案先である顧客名が表示される。タイトル６４−２には、提案メニュー４２の名称が明示される。ガイド６４−３には処理段階を示すとともに、入力操作のガイド情報としてたとえば、「ＳＴＥＰ１：アイディアを選択してください」が明示される。リンクボタン６４−４は関連情報（豆知識）４６−１にリンクし、リンクボタン６４−５は関連情報（節水とは？）４６−２にリンクし、リンクボタン６４−６は支援情報（？ヘルプ）にリンクし、それぞれのタッチによりリンク先に遷移させることができる。
【００７６】
テーブル７０には、アイディア７０−１および提案書表示７０−２が含まれる。アイディア７０−１にはアイディア番号とともに、アイディアタイトルＸ１、Ｘ２・・・Ｘ１０およびリンクボタン７４−１、７４−４、７４−５、７４−６、７４−７、７４−９、７４−１０が含まれる。リンクボタン７４−１、７４−４・・・４−１０は、アイディア７０−１中のアイディア４４−１〜４４−１０に属している回収装置４５−１、４５−４・・・４５−１０にリンクしている。
【００７７】
提案書表示７０−２は、アイディア７０−１のアイディアに対応する提案書の作成が完了していれば、完了表示としてたとえば、「○」、未完了であれば、未完了表示としてたとえば、空欄となる。
【００７８】
実績マップ７２には各アイディアを網羅するシステムマップが表示され、このシステムマップ上の関係箇所にアイディア番号が表示されている。このアイディア番号はアイディア７０−１のアイディア番号に符号する。システムマップには各要素を特定する略称や記号、処理内容としてたとえば、新水、用水処理、ＣＩＰなどが表示されている。
【００７９】
＜データおよび表示画面＞
図１３に示すように、提案書群４３Ｍには、複数の提案書４３−１、４３−２・・・４３−１０が含まれる。
図１４に示すように、回収装置群４５Ｍには、複数の回収装置４５−１、４５−４、４５−５、４５−６、４５−７、４５−９、４５−１０が含まれる。
図１５に示すように、水量情報群４４Ｍ１には複数の水量入力４４−１１、４４−２１・・・４４−１０１が含まれる。
図１６に示すように、単価群４４Ｍ２には複数の単価入力４４−１２、４４−２２・・・４４−１０２が含まれる。
図１７に示すように、条件群４４Ｍ３には複数の条件入力４４−１３、４４−２３・・・４４−１０３が含まれる。
図１８に示すように、熱回収単価計算シート群４４Ｍ２１は単一または複数の熱回収単価計算シート４４−１２１、４４−１２２・・・４４−１０２１で構成される。
【００８０】
図１９に示すように、関連情報４６−１には、複数ページに亘る情報が含まれる。各ページにはリンクボタン７３−１、７３−２が備えられる。リンクボタン７３−１は元シートにリンクし、リンクボタン７３−２は次ページのシートにリンクしており、タッチにより所望のシートに遷移可能である。
【００８１】
図２０に示すように、関連情報４６−２には、複数ページに亘る情報が含まれる。各ページにはリンクボタン７５が備えられる。リンクボタン７５は出発画面にリンクし、タッチにより原画面に遷移可能である。
【００８２】
＜提案書４３−１＞
図２１は、提案書４３−１を示している。この提案書４３−１は表示情報または表示画面を示している。
【００８３】
この提案書４３−１には、タイトル部７６、コメント７８、提案表示８０、メリット部８２、リンク部８４が含まれる。
タイトル部７６には提案元７６−１、顧客名７６−２およびタイトル７６−３が含まれる。タイトル７６−３は提案メニュー４２のアイディア４４−１と一致する。
【００８４】
コメント７８には提案コンセプト７８−１、改善予想７８−２、特記７８−３が含まれる。提案コンセプト７８−１には提案情報のコンセプトの説明文が明示される。改善予想７８−２にはたとえば、テーブル表示を含み、テーブルにはたとえば、アイディア４４−１では水質項目に導電率、濁度、遊離有効塩素などを含み、良質排水、回収水、回収水使用先などの情報が明示される。これにより、改善予想を視覚的に容易に認識させることができる。特記７８−３には特質すべきメリットや留意事項を記載すればよい。
【００８５】
提案表示８０は既述の表示部１８−１、１８−２の一例であり、提案情報の内容を明示する。この例では、「節水量と節水の仕組み」について、枠囲みされた表示面にシステムマップ８０−１、水処理システムの複数の要素８０−２の改善前および改善後の比較情報８０−３、節水量８０−４、メリット８０−５、提案装置の稼働状況８０−６が明示される。システムマップ８０−１は提案する水処理システムの１または２以上の要素８０−２を含む最小限の回路情報を開示すればよい。要素８０−２にはこの例では、タンク、「新水」、「ボイラー補給水」、「製品水」、「良質排水」、「ＮａＣｌＯ」、「排水」などが含まれる。節水量８０−４には年間節水量が表示されるとともに、メリット部８２側に向けた矢印８０−７を備え、視線を節水量８０−４からメリット部８２側に誘導する。メリット８０−５には水原単位削減効果、提案装置の稼働状況８０−６には回収率、設計水量および稼働率がテーブルにより提示される。節水量８０−４、メリット８０−５および稼働状況８０−６は文字表示を損なわない範囲で重ねられ、情報の連関性が明示されている。
【００８６】
メリット部８２は既述の表示部１８−３の一例であり、このメリット部８２にはメリット８２−１、メリット内訳８２−２、ランニングコスト８２−３、イニシャルコスト８２−４、投資回収年８２−５が含まれる。メリット８２−１にはたとえば、年単位のコストメリット、メリット内訳８２−２にはメリットの内訳としてたとえば、止水、用水処理、純水処理、排水処理、下水、熱回収、薬品、節電などの項目について数値情報が提示される。ランニングコスト８２−３には年当たりのコスト、その内訳が明示され、イニシャルコスト８２−４にはコスト、投資回収年８２−５には投資回収年が明示される。
【００８７】
リンク部８４にはリンクボタン８４−１、８４−２、８４−３、８４−４、８４−５が含まれる。リンクボタン８４−１をタッチすれば、現在の表示画面から提案メニュー４２に遷移可能である。リンクボタン８４−２をタッチすれば、現在の表示画面から水量入力４４−１１に遷移可能である。リンクボタン８４−３をタッチすれば、現在の表示画面から単価入力４４−１２に遷移可能である。リンクボタン８４−４をタッチすれば、現在画面から条件入力４４−１３に遷移可能である。リンクボタン８４−５をタッチすれば、回収装置実績として回収装置４５−１に遷移可能である。
【００８８】
＜回収装置４５−１＞
図２２は、回収装置群４５Ｍ中の回収装置４５−１を示している。この回収装置４５−１は表示情報または表示画面を示している。
【００８９】
この回収装置４５−１にはタイトル部８６、フロー８８、配置９０、要約９２、特徴事項９４、リンク部９６が含まれる。
タイトル部８６には、アイディア４４−１に所属する回収装置４５−１のタイトルが表示されている。
フロー８８には表題として「フロー」が明示され、フローチャート８８−１、実施内容８８−２が含まれる。実施内容８８−２にはテーブルが明示され、一例として一般細菌数やＴＯＣなどが含まれる。
【００９０】
配置９０には表題として「配置」が明示され、装置９０−１、内容９０−２などが含まれる。たとえば、タンクの容量や寸法が明示されている。
要約９２には表題として「まとめ」が明示され、項目９２−１およびその内容９２−２が明示されている。
特徴事項９４には複数の項目が含まれ、その表題として「特徴」、「配慮点」が明示され、「特徴」には特徴事項が説明され、「配慮点」には配慮すべき事項の説明文が明示されている。
リンク部９６にはリンク表示としてリンクボタン９６−１が明示されている。リンクボタン９６−１にタッチすれば、遷移前の画面表示に戻ることができる。
【００９１】
＜提案メニュー４２への入力＞
図２３は、提案メニュー４２への入力を示している。提案メニュー４２では、画面表示を全画面表示に遷移させ、画面上に提案メニュー４２を展開させた後、顧客名表示部６４−１にタッチすると、図２３のＡに示すように、顧客名表示部６４−１に対する入力を有効化する。この顧客名表示部６４−１に顧客名を入力すると、図２３のＢに示すように、この例では、アイディア４４−１の提案書４３−１のタイトル部７６のタイトルに顧客名７６−２が反映される。つまり、「○○○株式会社様」が入力「ＡＢＣ」により「ＡＢＣ株式会社様」に変更されている。
【００９２】
この提案メニュー４２において、図２３のＣに示すように、アイディア７０−１のアイディアの何れか、たとえば、アイディア１のＸ１にタッチすれば、提案メニュー４２からＸ１が選択され、Ｘ１の水量入力４４−１１（図２４）に遷移させることができる。
【００９３】
＜水量入力４４−１１＞
図２４は、Ｘ１の水量入力４４−１１を示している。この水量入力４４−１１には、タイトル部９８、テーブル１００、１０２、水量入力単位１０４、提案書シート反映チェック１０６、リンク部１０８が含まれる。
【００９４】
タイトル部９８にはタイトル９８−１、ガイド９８−２、入力タブ９８−３、９８−４、９８−５、リンクボタン９８−６、９８−７、９８−８が含まれる。
このタイトル９８−１には、提案メニュー４２からアイディア７０−１のＸ１が選択されていることを表す「アイディア１：Ｘ１」が表示されている。
ガイド９８−２には処理手順の第１段階を表すたとえば、「ＳＴＥＰ２：データを入力してください」が表示される。
【００９５】
入力タブ９８−３、９８−４、９８−５は、画面遷移の方向を示唆する矢印内に、ボタンの種別を表す「水量」、「単価」、「条件」が明示されている。
現在選択中の水量入力４４−１１では、入力タブ９８−３が現在の画面表示を表す活性状態表示としてたとえば、網掛け表示、着色表示、コントラストなどの表示形態により、他の入力タブ９８−４、９８−５と区別される。
リンクボタン９８−６は提案メニュー４２にリンクし、リンクボタン９８−７は提案書４３−１にリンクし、リンクボタン９８−８はヘルプ情報にリンクしている。
【００９６】
テーブル１００は、タイトルとして「新水／製品仕込水」が明示され、複数の入力項目に対応する項目欄、入力欄、単位欄、年間換算量欄を含むテーブルが備えられる。項目欄にはたとえば、「上水使用量」、「井水使用量」、「製品仕込水量」が含まれる。入力欄には必要な数値が入力可能であり、入力をガイドするたとえば、網掛け表示、着色表示、コントラストなどにより、他の欄と区別されている。
【００９７】
テーブル１０２は、タイトルとして「対象設備」が明示され、複数の入力項目に対応する項目欄、入力欄、単位欄、年間換算量欄を含むテーブルが備えられる。項目欄にはたとえば、「良質排水量」、「回収水ご使用先の水使用量」「イニシャルコスト」が含まれる。入力欄には必要な数値が入力可能であり、入力をガイドするたとえば、網掛け表示、着色表示、コントラストなどにより、他の欄と区別されている。
【００９８】
水量入力単位１０４には、タイトルとして「単位」が明示され、入力部１０４−１および表示部１０４−２が含まれる。入力部１０４−１には準備された期間から選択された期間が入力される。表示部１０４−２には入力年や、演算結果である時間が表示される。
【００９９】
提案書シート反映チェック１０６にはタイトルとして「提案書シート反映チェック」が表示され、項目欄および反映結果欄を備えたテーブルが含まれる。項目欄にはたとえば、「コストメリット」、「節水量」、「水原単位」、「投資回収年」、「水フロー」が含まれ、各項目に対して反映結果欄には、入力情報が反映されているか否かを表す表示としてたとえば、「○」または「×」が表示される。「○」は反映されていること、「×」は反映されていないことを示す。
【０１００】
リンク部１０８にはリンクボタン１０８−１、１０８−２が備えられる。リンクボタン１０８−１は前画面への遷移「戻る」に対応し、リンクボタン１０８−２は次画面への遷移「次へ」に対応する。タッチにより前画面または次画面への遷移が可能である。
【０１０１】
＜水量入力４４−１１への入力＞
【０１０２】
図２５は、水量入力４４−１１の単位入力を示している。テーブルの入力欄にタッチすると、図２５のＡに示すように、入力欄が選択される。この入力部１０４−１には図２５のＢに示すように、選択可能な複数の期間を表すリストが用意され、展開したリストから何れかの単位を選択すればよい。たとえば、「年間入力」を選択すれば、表示部１０４−２に入力年数が表示される。
【０１０３】
選択した単位に応じて期間が稼働時間に自動的に変換され、図２５のＣに示すように、表示部１０４−２に稼働時間が表示される。この場合、表示部１０４−２には操作者またはユーザに対する説明情報として、稼働時間数の説明情報の表示たとえば、「この値と入力値の積が年間換算量になります」と表示される。
【０１０４】
図２６は、水量入力４４−１１の水量入力を示している。水量入力４４−１１では、図２６のＡに示すように、テーブル１００の「新水／製品仕込水」入力欄に入力を促す表示としてたとえば、他の入力欄と異なる着色表示となる。「対象設備」入力欄も同様である。
【０１０５】
テーブル１００の入力欄にタッチすれば、図２６のＢに示すように、キーボード１１０が表示され、このキーボード１１０の置数指示キー１１０−１にタッチすれば、テンキーおよび記号入力モードに移行する。このテンキーを利用し、入力欄に水量を入力する。「対象設備」の入力欄にも同様に、水量を入力することができる。
【０１０６】
この水量入力４４−１１において、リンクボタン９８−６にタッチすれば、表示画面が提案メニュー４２に遷移し、リンクボタン９８−７にタッチすれば、提案書４３−１に遷移することができる。
【０１０７】
＜入力チェック＞
図２７は、入力チェックの処理を示している。水量入力の後、たとえば、図２７のＡに示すように、「対象設備」の入力欄などに未入力が存在すれば、図２７のＢに示すように、提案書シート反映チェック１０６の反映欄に、未入力となっている項目毎に入力を表す表示「○」または未入力を表す表示「×」が現れる。図２７のＢに示す状態は全ての項目が未入力となっている。未入力があっても、提案書４３−１の出力に影響はない。たとえば、水原単位、投資回収年、水フローが欠足していても提案書４３−１を出力でき、提案書４３−１の表示内容から欠足情報を確認し、入力に戻って欠足情報を追完することができる。
【０１０８】
＜単価入力４４−１２＞
図２８は、単価入力４４−１２の一例を示している。この単価入力４４−１２には、タイトル部１１２、テーブル１１４、１１６、１１８、リンク部１２０が含まれる。
【０１０９】
タイトル部１１２にはタイトル１１２−１、ガイド１１２−２、入力タブ１１２−３、１１２−４、１１２−５、リンクボタン１１２−６、１１２−７、１１２−８が含まれる。
タイトル１１２−１には、提案メニュー４２からアイディア７０−１のＸ１が選択されていることを表す「アイディア１：Ｘ１」が表示されている。
ガイド１１２−２には処理手順の第１段階を表すたとえば、「ＳＴＥＰ２：データを入力してください」が表示される。
入力タブ１１２−３、１１２−４、１１２−５は、画面の遷移方向を示す矢印内に、ボタンの種別を表す「水量」、「単価」、「条件」が明示されている。
【０１１０】
現在選択されている単価入力４４−１２では、入力タブ１１２−４が現在の画面表示を表す活性状態表示としてたとえば、網掛け表示、着色表示、コントラストなどにより、他の入力タブ１１２−３、１１２−５と区別する表示形態となっている。
リンクボタン１１２−６は提案メニュー４２にリンクし、リンクボタン１１２−７は提案書４３−１にリンクし、リンクボタン１１２−８はヘルプ情報にリンクする。
【０１１１】
テーブル１１４は、タイトルとして「お客様設備処理単価」が明示され、複数の入力項目に対応する項目欄、入力欄、単位欄、デフォルト欄を含むテーブルが備えられる。項目欄にはたとえば、「上水」、「用水処理」、「純水処理」、「排水処理」、「下水処理」、「熱回収」、「薬品」、「節電」が含まれる。入力欄には必要な数値が入力可能であり、入力をガイドするたとえば、網掛け表示、着色表示、コントラストなどにより、他の欄と区別されている。このテーブル１１４には項目毎にチェックボックス１２２−１、１２２−２・・・１２２−８が備えられ、熱回収項目にはリンクボタン１２４が備えられる。チェックボックス１２２−１〜１２２−８には選択項目にチェックを入れることが可能である。リンクボタン１２４は単価計算にリンクし、タッチにより単価計算に遷移する。
【０１１２】
テーブル１１６は、タイトルとして「回収装置電気／薬品単価」が明示され、入力項目に対応する項目、入力、単位、デフォルトの各欄が備えられる。たとえば、項目欄に「電気代」が明示されている。
テーブル１１８はウインドウ表示であり、たとえば、「薬品」について明示され、項目欄、入力欄、単位欄およびデフォルト欄が含まれる。デフォルト欄には入力情報とは別に予め準備されたデフォルト値が入力されている。このデフォルト値は過去の実績から算定される。「薬品」は、「お客様設備処理単価」の「薬品」の項目が選択された際に表示され、その他の場合は非表示とすればよい。
【０１１３】
リンク部１２０にはリンクボタン１２０−１、１２０−２が備えられる。リンクボタン１２０−１は前画面への遷移「戻る」に対応し、リンクボタン１２０−２は次画面への遷移「次へ」に対応する。タッチにより前画面または次画面への遷移が可能である。
【０１１４】
＜単価入力４４−１２への入力＞
図２９は、単価入力４４−１２の入力を示している。「お客様設備処理単価」の何れかの項目欄をタッチし、選択する項目にチェックを入れる。図２９のＡに示す例では、項目中「上水」、「用水処理」および「薬品」がチェックされ、その他の項目はチェックから外されている。チェックした項目は節水メリットに計上され、チェックを外した項目は非計上となる。この例では、チェック箇所が他の箇所と異なる着色表示となる。
【０１１５】
チェックした項目について、入力欄に顧客条件に合った単価を入力する。図２９のＢに示すように、たとえば、「用水処理」では顧客条件に合う単価を表す値が入力されている。単価を入力しなければ、デフォルト欄にあるデフォルト値が単価として自動的に選択され、この値がメリット計算に用いられる。図２９のＢに示す例では、「上水」にはデフォルト値が選択される状態を示している。デフォルト値は過去の実績値を基に設定すればよい。
【０１１６】
＜熱回収単価の処理＞
図３０は、熱回収単価の処理の推移を示している。たとえば、図２８に示す単価入力４４−１２の「熱回収」のチェックボックス１２２−６にチェックを入れ、「単価計算」が明示されているリンクボタン１２４にタッチすると、図３０のＡに示すように、熱回収単価計算シート４４−１２１に遷移する。
【０１１７】
熱回収単価計算シート４４−１２１には、タイトル部１２６、計算に使用する単価などの入力情報を入力する入力欄や計算結果を表示する表示欄としてたとえば、単価入力１２８、詳細条件入力１３０、計算欄１３２、熱回収メリットと単価欄１３４が含まれる。タイトル部１２６にはリンクボタン１２６−１、１２６−２が含まれる。
【０１１８】
単価入力１２８には「省エネ単価」や「蒸気単価」が入力される。詳細条件入力１３０には、回収水温度、従来水温度、熱量回収効率、回収水量、水比熱、蒸気温度の入力が可能である。一例として、熱回収単価または省エネ単価、水温、熱交換効率を入力すればよい。入力値がない場合には、実績に基づいたデフォルト値が用いられる。
計算欄１３２では、回収水熱量、回収熱量、潜熱、蒸気使用量が算出され、その算出結果が表示される。回収水熱量、回収熱量、潜熱には注釈として用いられる計算式を表示してもよい。
【０１１９】
熱回収メリットと単価欄１３４には図３０のＢに示すように、熱回収メリットを表す価額、熱回収単価および省エネ単価が同時に表示される。
この熱回収単価計算シート４４−１２１のリンクボタン１２６−２にタッチすれば、この熱回収単価計算シート４４−１２１の前画面に遷移することができる。
【０１２０】
＜条件入力４４−１３＞
図３１は、条件入力４４−１３の一例を示している。この条件入力４４−１３には、タイトル部１３６、テーブル１３８、１４０、リンク部１４２が含まれる。
【０１２１】
タイトル部１３６にはタイトル１３６−１、ガイド１３６−２、入力タブ１３６−３、１３６−４、１３６−５、リンクボタン１３６−６、１３６−７、１３６−８が含まれる。
タイトル１３６−１には他の画面と同様に、提案メニュー４２からアイディア項目７０−１のＸ１が選択されていることを表す「アイディア１：Ｘ１」が表示されている。
【０１２２】
ガイド１３６−２には処理手順の第１段階を表すたとえば、「ＳＴＥＰ２：データを入力してください」が表示される。
入力タブ１３６−３、１３６−４、１３６−５は、画面の遷移方向を示唆する矢印内に、ボタンの種別を表す「水量」、「単価」、「条件」が明示されている。
【０１２３】
現在画面の条件入力４４−１３では、入力タブ１３６−５が現在画面を表す活性状態表示としてたとえば、網掛け表示、着色表示、コントラストなどにより、他の入力タブ１３６−３、１３６−４と区別する表示形態となっている。
リンクボタン１３６−６は提案メニュー４２にリンクし、リンクボタン１３６−７は提案書４３−１にリンクし、リンクボタン１３６−８はヘルプ情報にリンクしている。
【０１２４】
テーブル１３８は、タイトルとして「排水の水質」が明示され、複数の入力項目に対応する項目欄、良質排水欄、回収水欄、回収水ご使用先欄、単位欄を含むテーブルが備えられる。項目欄にはたとえば、「導電率」、「濁度」、「ＴＯＣ」などの項目に対し、状態や単位などが含まれる。必要な数値が入力可能であり、入力をガイドするたとえば、網掛け表示、着色表示、コントラストなどにより、他の欄と区別されている。
【０１２５】
テーブル１４０は、タイトルとして「回収装置規模／運転効率」が明示され、入力項目に対応する項目として「水回収率」などに対して「入力」、「単位」、「デフォルト」、リンクボタン１４０−１が備えられる。リンクボタン１４０−１は回収装置実績にリンクし、タッチにより回収装置画面に遷移することができる。
【０１２６】
リンク部１４２にはリンクボタン１４２−１、１４２−２が備えられる。リンクボタン１４２−１は前画面への遷移「戻る」に対応し、リンクボタン１４２−２は次画面への遷移「次へ」に対応する。タッチにより前画面または次画面への遷移が可能である。
【０１２７】
図３２は、他の条件入力としてアイディア４４−６の条件入力の入力手順を示している。
【０１２８】
アイディア４４−６の条件入力４４−６３のテーブル１４４には、図３２のＡに示すように、「排水の水質」に対応する入力項目に対して「リンス排水」、「処理水」、「単位」の入力欄が含まれる。これらを選択して所望の数値を入力すればよい。
【０１２９】
アイディア４４−６の条件入力４４−６３のテーブル１４６には、図３２のＢに示すように、「回収装置規模／運転効率」に対応する入力項目に対して「入力」、「単位」および「デフォルト」の入力欄が含まれる。これらを選択して入力欄に所望の数値を入力すればよい。入力欄に入力をしなければ、デフォルトにある値が用いられる。
【０１３０】
＜実施例の効果＞
上記実施例によれば、次のような効果が得られる。
(1) 上記実施例によれば、コンピュータを用いた提案支援ツールとして実現でき、提案者と顧客との間の情報交換に利用でき、提案者からの水処理システム案などの情報を顧客に的確に伝達でき、顧客から提示される課題を反映した提案を即座に情報や画像として提示することができる。
【０１３１】
(2) ＰＣ、スマートフォン、タブレット端末などの情報処理端末を用いることにより、客先の水処理システムが持つ現状処理の問題や、現状処理に代わる新規の処理内容をビジュアル的にたとえば、単一画面で表示できる。
【０１３２】
(3) 現状処理の問題点や新規の処理の内容を迅速かつ的確に提示でき、提供したい内容について、画面表示を通して客先と容易に共有できる。提示すべき内容を的確に表示できる一方、客先の要望を反映した画像や文字を表示でき、情報を迅速に共有化できる。
【０１３３】
(4) 表示装置にはＰＣ、スマートフォン、タブレット端末の表示画面を用いて表示できるが、表示装置の大画面を用いて拡大表示し、提案内容のアピール度を高めることができる。
【０１３４】
(5) 提案メニュー４２について、１画面で顧客先、複数のアイディア、コスト低減効果情報、節水に関する基礎的情報、処理およびメリットなどの関連情報、マップによりシステム上のアイディアを顧客に提供でき、提案者と顧客との間で必要な提案情報を共有できる。
(6) 提案者が提供したい提案情報を１画面により提供でき、提案者の意図を顧客に迅速に認識させることができる。
【０１３５】
(7) 提案メニュー４２から顧客名で特定される提案情報が複数のアイディアの具体的な項目によって提示され、各タイトルにタッチすれば、リンク先の表示画面に遷移でき、提案者の提案情報、顧客が知りたい情報を即座に明示することができる。
(8) タイトルで特定される実績装置が存在する場合にはリンクボタンから実績装置を表す画面に遷移し、その内容を展開して即座に認識させることができる。
【０１３６】
(9) 実績マップにはアイディア番号が表示されているので、マップ上にあるシステムと改善提案がリンクしており、改善提案の箇所をマップから容易に認識することができる。
(10)  システムの原理や処理、そのメリットなどの関連情報について、リンクボタンから必要な情報表示に遷移させることができ、提案内容の説明に手間取ることなく、容易かつ迅速に顧客に提供することができる。
【０１３７】
(11)  提案メニュー４２は複数の関連群のトップメニューを兼用しており、関連群にリンクしている。
(12)  提案書について、現状や新規の水処理システムを図面化し、その課題やメリットを視認情報として提示でき、現状システムや新規システムを提案者と顧客で共有でき、迅速な情報共有活動を実現できる。
【０１３８】
(13)  顧客の各製造ユニットの存在を前提とし、該製造ユニットを特定するデータの入力処理から現状処理の問題点を抽出し、その内容を提示できる。
(14)  データ入力処理では、給水または排水の特性データなどから対象ユニットを特定し、全体の使用水量と各工程の種別により、各工程の排水量の概算、コンピュータによる演算処理を用いて、各工程の排水量の算出、算出結果による改善事項の抽出（現状の課題の抽出）を行い、これらの実績に基づくデータベース化を図ることができる。
【０１３９】
(15)  データベースでは処理データ、該処理データに基づく処理システム、該処理システムを用いた処理結果、その最適化情報などの各種データを入力データにより抽出可能に格納し、入力データに基づく最適な処理システムを構築できる。
(16)  各工程のたとえば、排水に対し、実績データ（データベース）から最適な処理を表す処理フローの選択（現状からの改善処理）を行い、各工程のたとえば、排水に対して、既述のデータベースを用いて最適な処理フローの選択、変更ないし構築を行うことができる。
【０１４０】
(17)  入力した現在情報から処理システムの問題点などを抽出でき、斯かる問題点などを払拭したクライアントの処理内容に適合する新システムを即座に構築できる。
(18)  データベースに過去の経験、履歴、実績などを参照し、最適且つ合理的な新システムを構築し、提案できる。
(19)  過去の経験、履歴、実績などをデータベース化して共有できるので、営業担当者の経験値による偏りを防止し、最新の情報を以て新システムを構築できる。営業担当者による個性化を廃することができ、提案する新システムの合理化と信頼性を高めることができる。
(20)  提案情報では、プレゼン資料として出力できるとともに、処理に適さない情報が入力された場合にはたとえば、アラート報知などによっても告知でき、構築システムの信頼性を高めることができる。
【０１４１】
(21)  最適な処理フローの採用メリットについて、節水によるコスト低減額の算出、設備投資額の算出、これらの比較から投資回収期間の算出を行い、その結果を処理システムおよび処理フローとともに提示できる。
(22)  各種の処理フローにおいて、処理容量などを変更し、設備の配置、節水量、水量などの削減効果、ＩＣ／ＲＣなどを算出できる。
(23)  たとえば、処理容量の変更、処理設備の配置、節水量、コストなどを算出し、算出結果を提示する。ＩＣ（：設備などの導入コスト）／ＲＣ（：メンテナンスコスト、利用料などを含む稼働コスト）、削減効果として、コスト低減額、設備投資額および投資回収期間による効果（費用低減）を算出し、その算出結果を既存のまたは提案に係る処理システム案として提示できる。
【０１４２】
〔他の実施の形態〕
上記実施の形態では、提案支援装置２にＰＣなどの情報処理端末を用いたが、図３３に示すように、提案支援装置２にホスト装置２−１を連係させて提案支援システム２−２に構成してもよい。提案支援装置２とホスト装置２−１間の連係は有線または無線の何れでもよいし、インターネットなどの通信媒体を用いてよい。提案支援装置２には通信部４０−１が備えられ、この通信部４０−１とホスト装置２−１側の通信部４０−２と有線または無線により通信接続が可能である。
【０１４３】
斯かる構成によれば、提案支援装置２では既述のように情報処理部６−１や記憶部１０−１、ＤＢ１４−１を備えているので、ホスト装置２−１と独立した処理が可能であるが、必要に応じてホスト装置２−１に対し、処理やデータ要求を行い、必要な処理結果の提供を受けることができる。ホスト装置２−１の情報処理部６−２は提案支援装置２からのデータ要求などに応答し、記憶部１０−２にあるＤＢ１４−２から必要なデータを提案支援装置２に提供できる。
【０１４４】
＜他の実施の形態の効果＞
(1) この提案支援システム２―２によれば、ホスト装置２−１にデータ処理を分担させることができ、既述の処理手順（図２）による処理をホスト装置２−１との協調により実行させることができる。
【０１４５】
(2) ホスト装置２−１側の記憶部１０−２に情報源となるＤＢ１４−２を構築でき、ＤＢ１４−２にある情報を提案支援装置２側で活用でき、ユーザが必要とする有益な情報を迅速且つ精緻に提供することができる。
【０１４６】
(3) 単独で既述の提案支援装置２による改善提案などの提示に加え、ホスト装置２−１との連係により、ホスト装置２−１側にあるＤＢ１４−２から膨大なデータを提供でき、ホスト装置２−１側で処理した高度な処理結果を提案支援装置２に提供できる。
【０１４７】
以上説明したように、本発明の最も好ましい実施形態等について説明した。本発明は、上記記載に限定されるものではない。特許請求の範囲に記載され、または明細書に開示された発明の要旨に基づき、当業者において様々な変形や変更が可能である。斯かる変形や変更が、本発明の範囲に含まれることは言うまでもない。
【産業上の利用可能性】
【０１４８】
本発明は、水処理システムのシステム構成、処理内容、処理メリットなどの現状情報、最適な水処理システム案、コスト低減効果情報などを提示でき、これらの情報を画像表示によって提供でき、営業や開発活動で用いる支援ツールとして提供でき、有益である。
【符号の説明】
【０１４９】
２  提案支援装置
２−１  ホスト装置
２−２  提案支援システム
４  情報入力部
６、６−１、６−２  情報処理部
８  情報提示部
１０、１０−１、１０−２、３４  記憶部
１２  バス
１４、１４−１、１４−２  データベース（ＤＢ）
１６  表示画面
１８−１  第１の表示部
１８−２  第２の表示部
１８−３  第３の表示部
２０−１  システム情報
２０−２  処理情報
２０−３  メリット情報
２２  要素
２２Ｍ  要素群
２２−１、２２−２・・・２２−Ｎ  要素
２４  提案者
２６、２６−１、２６−２  ＰＣ
２８−１  ディスプレイ
２８−２  ディスプレイ装置
３０  顧客
３２  プロセッサ
３６  入出力部（Ｉ／Ｏ）
３８  タッチパネル
４０、４０−１、４０−２  通信部
４１  バス
４２  提案メニュー
４３Ｍ  提案書群
４３−１、４３−２・・・４３−１０  提案書
４４−１、４４−２・・・４４−１０  アイディア
４４−１１、４４−２１・・・４４−１０１  水量入力
４４−１２、４４−２２・・・４４−１０２  単価入力
４４−１３、４４−２３・・・４４−１０３  条件入力
４４−１２２、４４−２２２・・・４４−１０２２  薬品ｐＨ調整値
４４Ｍ１  水量入力群
４４Ｍ２  単価入力群
４４Ｍ３  条件入力群
４４Ｍ２１  熱回収単価計算シート群
４４−１２１、４４−２２１・・・４４−１０２１  熱回収単価計算シート
４５Ｍ  回収装置群
４５−１、４５−４、４５−５、４５−６、４５−７、４５−９、４５−１０  回収装置
４６−１  関連情報
４６−２  関連情報
４８  実績マップ
５０  水処理要素
５２  タンク
５４  ポンプ
５６−１、５６−２・・・５６−Ｎ  改質装置
５６−１１  膜分離装置
５６−１２  逆浸透膜装置
５６−１３  ＵＶ処理殺菌器
５８  制御装置
６０−１、６０−２  ランニングコスト
６０−１１  改質装置
６０−１２  コスト
６０−１２１  頻度
６０−１２２  単価
６０−２１  関係式
６０−２２  ｐＨ調整剤添加量計算式
６０−２３  水質調整剤添加量（塩素濃度など）計算式
６４−１  顧客名
６４−４、６４−５、６４−６  リンクボタン
７０−１  アイディア
７０−２  提案書表示
７２  実績マップ
７４−１、７４−４、７４−５、７４−６、７４−７、７４−９、７４−１０、８４−１、８４−２、８４−３、８４−４、８４−５  ９８−６、９８−７、９８−８、９６−１、１０８−１、１０８−２、１１２−６、１１２−７、１１２−８、１２０−１、１２０−２、１２４、１２６−１、１２６−２、１３６−６、１３６−７、１３６−８、１４０−１、１４２−１、１４２−２  リンクボタン
６４、７６、８６、９８、１１２、１２６、１３６  タイトル部
６４−２、７６−３、９８−１、１１２−１、１３６−１  タイトル
６４−３、９８−２、１１２−２、１３６−２  ガイド
７６−１  提案元
７６−２  顧客名
７８  コメント
７８−１  提案コンセプト
７８−２  改善予想
７８−３  特記
８０  提案情報
８０−１  システムマップ
８０−２  要素
８０−３  比較情報
８０−４  節水量
８０−５  メリット
８０−６  稼働状況
８０−７  矢印
８２  メリット部
８２−１  メリット
８２−２  メリット内訳
８２−３  ランニングコスト
８２−４  イニシャルコスト
８２−５  投資回収年
８４、９６、１０８、１２０、１４２  リンク部
８８  フロー
８８−１  フローチャート
８８−２  実施内容
９０  配置
９０−１  装置
９０−２  内容
９２  要約
９２−１  項目
９２−２  内容
９４  特徴事項
９８−３、９８−４、９８−５、１１２−３、１１２−４、１１２−５、１３６−３、１３６−４、１３６−５  入力タブ
７０、１００、１０２、１１４、１１６、１１８、１３８、１４０、１４４、１４６  テーブル
１０４  水量入力単位
１０４−１  入力部
１０４−２  表示部
１０６  提案書シート反映チェック
１１０  キーボード
１１０−１  置数指示キー
１２２−２、１２２−６  チェックボックス
１２８  単価入力
１３０  詳細条件入力
１３２  計算欄
１３４  単価欄
【図１】
2018139035.tif 000003
【図２】
2018139035.tif 000004
【図３】
2018139035.tif 000005
【図４】
2018139035.tif 000006
【図５】
2018139035.tif 000007
【図６】
2018139035.tif 000008
【図７】
2018139035.tif 000009
【図８】
2018139035.tif 000010
【図９】
2018139035.tif 000011
【図１０】
2018139035.tif 000012
【図１１】
2018139035.tif 000013
【図１２】
2018139035.tif 000014
【図１３】
2018139035.tif 000015
【図１４】
2018139035.tif 000016
【図１５】
2018139035.tif 000017
【図１６】
2018139035.tif 000018
【図１７】
2018139035.tif 000019
【図１８】
2018139035.tif 000020
【図１９】
2018139035.tif 000021
【図２０】
2018139035.tif 000022
【図２１】
2018139035.tif 000023
【図２２】
2018139035.tif 000024
【図２３】
2018139035.tif 000025
【図２４】
2018139035.tif 000026
【図２５】
2018139035.tif 000027
【図２６】
2018139035.tif 000028
【図２７】
2018139035.tif 000029
【図２８】
2018139035.tif 000030
【図２９】
2018139035.tif 000031
【図３０】
2018139035.tif 000032
【図３１】
2018139035.tif 000033
【図３２】
2018139035.tif 000034
【図３３】
2018139035.tif 000035
【手続補正書】
【提出日】平成30年2月8日(2018.2.8)
【手続補正１】
【補正対象書類名】明細書
【補正対象項目名】０００７
【補正方法】変更
【補正の内容】
【０００７】
そこで、本発明の目的は斯かる課題に鑑み、水処理の現状情報などの入力情報に従って水処理の要素情報とコスト情報の検索により生成される水処理システム案とともに、該水処理システム案がもたらすコスト低減効果の算出およびその提示にある。
【手続補正２】
【補正対象書類名】明細書
【補正対象項目名】００５３
【補正方法】変更
【補正の内容】
【００５３】
図７は、ＤＢ１４の格納情報の一例を示している。ＤＢ１４には改質装置毎のランニングコスト６０−１、薬品添加によるランニングコスト６０−２、水処理能力６０−３などが含まれる。改質装置毎のランニングコスト６０−１には改質装置６０−１１、コスト６０−１２が含まれる。改質装置６０−１１には改質装置のサイズ（型式）、数量、消費電力などが含まれ、コスト６０−１２は点検、洗浄、部品交換などのメンテナンス種別毎のコストであり、頻度６０−１２１、単価６０−１２２が含まれる。頻度６０−１２１は年単位の回数、処理水量単位の回数を表す情報である。単価６０−１２２は、１回当たりのコストである。
【手続補正３】
【補正対象書類名】明細書
【補正対象項目名】００５４
【補正方法】変更
【補正の内容】
【００５４】
薬品添加によるランニングコスト６０−２には原水水質に含まれる処理対象物質濃度と必要薬品添加量の関係式６０−２１、原水水質に含まれる水質に応じたｐＨ調整剤添加量計算式６０−２２、回収先の水質条件に応じた水質調整剤添加量（塩素濃度など）計算式６０−２３などが含まれる。
水処理能力６０−３には水処理要素の給水水質項目毎の除去能力を演算する計算プログラム６０−３１の他、各種水処理能力に関する情報が含まれる。計算プログラムではたとえば、ＲＯ（逆浸透膜）の場合、以下の計算式が格納される。
【数１】
2018139035.tif 000036
・・・(1)
この式において、回収率は、回収率＝ＲＯ処理水量／ＲＯ給水流量である。除去率は水質項目毎に設定される定数である。
【手続補正４】
【補正対象書類名】明細書
【補正対象項目名】００７１
【補正方法】変更
【補正の内容】
【００７１】
水量について、提案メニュー４２が選択されれば（Ｓ３０２のＹＥＳ）、提案メニューの表示に遷移する（Ｓ３０３）。
この提案メニュー４２の表示（Ｓ３０３）において、提案書画面が選択されたかが判断され（Ｓ３０４）、提案書画面の選択がなければ（Ｓ３０４のＮＯ）、提案メニュー４２が維持される。
【手続補正５】
【補正対象書類名】明細書
【補正対象項目名】００９６
【補正方法】変更
【補正の内容】
【００９６】
テーブル１００は、タイトルとして「新水／製品仕込水」が明示され、複数の入力項目に対応する項目欄、入力欄、単位欄、年間換算量欄が備えられる。項目欄にはたとえば、「上水使用量」、「井水使用量」、「製品仕込水量」が含まれる。入力欄には必要な数値が入力可能であり、入力をガイドするたとえば、網掛け表示、着色表示、コントラストなどにより、他の欄と区別されている。
【手続補正６】
【補正対象書類名】明細書
【補正対象項目名】００９７
【補正方法】変更
【補正の内容】
【００９７】
テーブル１０２は、タイトルとして「対象設備」が明示され、複数の入力項目に対応する項目欄、入力欄、単位欄、年間換算量欄が備えられる。項目欄にはたとえば、「良質排水量」、「回収水ご使用先の水使用量」「イニシャルコスト」が含まれる。入力欄には必要な数値が入力可能であり、入力をガイドするたとえば、網掛け表示、着色表示、コントラストなどにより、他の欄と区別されている。
【手続補正７】
【補正対象書類名】明細書
【補正対象項目名】０１１１
【補正方法】変更
【補正の内容】
【０１１１】
テーブル１１４は、タイトルとして「お客様設備処理単価」が明示され、複数の入力項目に対応する項目欄、入力欄、単位欄、デフォルト欄が備えられる。項目欄にはたとえば、「上水」、「用水処理」、「純水処理」、「排水処理」、「下水処理」、「熱回収」、「薬品」、「節電」が含まれる。入力欄には必要な数値が入力可能であり、入力をガイドするたとえば、網掛け表示、着色表示、コントラストなどにより、他の欄と区別されている。このテーブル１１４には項目毎にチェックボックス１２２−１、１２２−２・・・１２２−８が備えられ、熱回収項目にはリンクボタン１２４が備えられる。チェックボックス１２２−１〜１２２−８には選択項目にチェックを入れることが可能である。リンクボタン１２４は単価計算にリンクし、タッチにより単価計算に遷移する。
【手続補正８】
【補正対象書類名】明細書
【補正対象項目名】０１２４
【補正方法】変更
【補正の内容】
【０１２４】
テーブル１３８は、タイトルとして「排水の水質」が明示され、複数の入力項目に対応する項目欄、良質排水欄、回収水欄、回収水ご使用先欄、単位欄が備えられる。項目欄にはたとえば、「導電率」、「濁度」、「ＴＯＣ」などの項目に対し、状態や単位などが含まれる。必要な数値が入力可能であり、入力をガイドするたとえば、網掛け表示、着色表示、コントラストなどにより、他の欄と区別されている。
【手続補正９】
【補正対象書類名】図面
【補正対象項目名】図７
【補正方法】変更
【補正の内容】
【図７】
2018139035.tif 000037
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
水処理システムの構成単位である水処理の要素を示す要素情報と該要素毎のコスト情報とを用いて水処理システム案を生成する提案支援装置において、
前記水処理の前記要素情報と、前記要素毎の前記コスト情報、必要薬品添加量および水処理能力情報と、前記要素を組み合わせた複数の水処理システム案とを記憶する記憶部と、
現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する処理部と、
前記経済的効果を前記水処理システム案に関係付けて提示する情報提示部と、
を備えることを特徴とする水処理システムの提案支援装置。
【請求項２】
水処理システムの構成単位である水処理の要素を示す要素情報と該要素毎のコスト情報とを用いて水処理システム案をコンピュータにより生成する水処理システムの提案支援プログラムにおいて、
前記水処理の前記要素情報と、前記要素毎の前記コスト情報、必要薬品添加量および水処理能力情報と、前記要素を組み合わせた複数の水処理システム案とを記憶部に記憶し、
現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出し、
前記経済的効果を前記水処理システム案に関係付けて提示する
機能を前記コンピュータに実行させるための水処理システムの提案支援プログラム。
【請求項３】
水処理システムの構成単位である水処理の要素を示す要素情報と該要素毎のコスト情報とを用いて水処理システム案を生成する提案支援方法において、
前記水処理の前記要素情報と、前記要素毎の前記コスト情報、必要薬品添加量および水処理能力情報と、前記要素を組み合わせた複数の水処理システム案とを記憶部に記憶する工程と、
現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する工程と、
前記経済的効果を前記水処理システム案に関係付けて提示する工程と、
を含む各工程を処理部が実行することを特徴とする水処理システムの提案支援方法。
【請求項４】
水処理システムの構成単位である水処理の要素を示す要素情報と該要素毎のコスト情報とを用いて水処理システム案を生成する提案支援システムにおいて、
前記水処理の前記要素情報と、前記要素毎の前記コスト情報、必要薬品添加量および水処理能力情報と、前記要素を組み合わせた複数の水処理システム案とを記憶する記憶装置と、
現状の水処理システムの要素、給水水量、水質及び単価を含む現状情報が入力されると、前記記憶装置に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する処理装置と、
前記処理装置に無線または有線により接続され、前記経済的効果を前記水処理システム案に関係付けて提示する情報提示装置と、
を備えることを特徴とする水処理システムの提案支援システム。
【手続補正２】
【補正対象書類名】明細書
【補正対象項目名】０００８
【補正方法】変更
【補正の内容】
【０００８】
上記目的を達成するため、本発明の水処理システムの提案支援装置の一側面によれば、水処理システムの構成単位である水処理の要素を示す要素情報と該要素毎のコスト情報とを用いて水処理システム案を生成する提案支援装置において、前記水処理の前記要素情報と、前記要素毎の前記コスト情報、必要薬品添加量および水処理能力情報と、前記要素を組み合わせた複数の水処理システム案とを記憶する記憶部と、現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する処理部と、前記経済的効果を前記水処理システム案に関係付けて提示する情報提示部とを備える。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記目的を達成するため、本発明の水処理システムの提案支援プログラムの一側面によれば、水処理システムの構成単位である水処理の要素を示す要素情報と該要素毎のコスト情報とを用いて水処理システム案をコンピュータにより生成する水処理システムの提案支援プログラムにおいて、前記水処理の前記要素情報と、前記要素毎の前記コスト情報、必要薬品添加量および水処理能力情報と、前記要素を組み合わせた複数の水処理システム案とを記憶部に記憶し、現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出し、前記経済的効果を前記水処理システム案に関係付けて提示する機能を前記コンピュータに実行させる。
【手続補正５】
【補正対象書類名】明細書
【補正対象項目名】００１１
【補正方法】変更
【補正の内容】
【００１１】
上記目的を達成するため、本発明の水処理システムの提案支援方法の一側面によれば、水処理システムの構成単位である水処理の要素を示す要素情報と該要素毎のコスト情報とを用いて水処理システム案を生成する提案支援方法において、前記水処理の前記要素情報と、前記要素毎の前記コスト情報、必要薬品添加量および水処理能力情報と、前記要素を組み合わせた複数の水処理システム案とを記憶部に記憶する工程と、現状の水処理システムの要素、給水水量、水質及び単価を含む現状情報が入力されると、前記記憶部に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する工程と、前記経済的効果を前記水処理システム案に関係付けて提示する工程とを含む各工程を処理部が実行する。
【手続補正６】
【補正対象書類名】明細書
【補正対象項目名】００１２
【補正方法】変更
【補正の内容】
【００１２】
上記目的を達成するため、本発明の水処理システムの提案支援システムの一側面によれば、水処理システムの構成単位である水処理の要素を示す要素情報と該要素毎のコスト情報とを用いて水処理システム案を生成する提案支援システムにおいて、前記水処理の前記要素情報と、前記要素毎の前記コスト情報、必要薬品添加量および水処理能力情報と、前記要素を組み合わせた複数の水処理システム案とを記憶する記憶装置と、現状の水処理システムの要素、給水水量、水質及び単価を含む現状情報が入力されると、前記記憶装置に格納されている前記水処理システム案毎に、排水の水量および水質と、必要薬品添加量を表す情報およびコスト情報を演算して、入力された現状の水処理システムよりも節水効果、省エネ効果、廃棄物削減効果の何れかまたは２以上によって経済的効果がもたらされる水処理システム案を生成するとともに、該水処理システム案がもたらす前記経済的効果を算出する処理装置と、前記処理装置に無線または有線により接続され、前記経済的効果を前記水処理システム案に関係付けて提示する情報提示装置とを備える。
【手続補正７】
【補正対象書類名】明細書
【補正対象項目名】００５４
【補正方法】変更
【補正の内容】
【００５４】
薬品添加によるランニングコスト６０−２には原水水質に含まれる処理対象物質濃度と必要薬品添加量の関係式６０−２１、原水水質に含まれる水質に応じたｐＨ調整剤添加量計算式６０−２２、回収先の水質条件に応じた水質調整剤添加量（塩素濃度など）計算式６０−２３などが含まれる。
水処理能力６０−３には水処理要素の給水水質項目毎の除去能力を演算する計算プログラム６０−３１の他、各種水処理能力に関する情報が含まれる。計算プログラムではたとえば、ＲＯ（逆浸透膜）の場合、以下の計算式が格納される。
【数１】
2018139035.tif 000038
・・・(1)   この式において、回収率は、回収率＝ＲＯ処理水量／ＲＯ給水流量である。除去率は水質項目毎に設定される定数である。
【手続補正８】
【補正対象書類名】図面
【補正対象項目名】図７
【補正方法】変更
【補正の内容】
【図７】
2018139035.tif 000039